(57)【要約】【課題】容易に開栓をすることができ、また筒状スカート部における印刷エリアの制約もなくすることができる容器用キャップを提供する。【解決手段】キャップ本体１は、円板状の天板部２とネジ部５が形成される円筒状のスカート部３からなる。前記天板部２とスカート部３を連結する円弧面４のＲを、開栓時における指の腹部との接触面積が増大するように２．５〜２０ｍｍの範囲とした。更に、前記円弧面４は従来のローレットを廃止して、指の腹部と密着可能な凹凸のない平滑面とした。【選択図】図１
2011105371.tif 000002
【特許請求の範囲】
【請求項１】
キャップ本体が、円板状の天板部とネジ部が形成される円筒状のスカート部からなり、前記天板部とスカート部を連結する円弧面のＲを開栓時における指の腹部との接触面積が増大するように２．５〜２０ｍｍの範囲とし、また前記円弧面を指の腹部と密着可能な凹凸のない平滑面としたことを特徴とする容器用キャップ。
【請求項２】
キャップ本体の直径は３０〜６０ｍｍであり、またキャップ本体の高さの上部１／５以上が円弧面で構成され、この円弧面から下方側にストレートな円筒状のスカート部が続いている請求項１に記載の容器用キャップ。
【請求項３】
スカート部の全体に印刷が施されている請求項１または２に記載の容器用キャップ。
【発明の詳細な説明】
【技術分野】
【０００１】
本発明は、容易に開栓を行うことができ、また筒状のスカート部における印刷エリアの制約もなくすことができる容器用キャップに関するものである。
【背景技術】
【０００２】
例えば、薬やサプリメント等の各種錠剤や、飴玉やガム等の菓子を収容する口径が約５０ｍｍ程度の比較的小型の容器口部に装着される容器用キャップとして、例えば、特許文献１や特許文献２に示されるように、筒状のスカート部の外周にローレットと称される上下方向に延びる線状突部を帯状に形成したものが広く知られている。このローレットは、キャップを開閉するときに指が滑るのを防止して指の力を十分に伝達し、キャップの開閉を容易に行えるようにするためのものである。
【０００３】
一方、前記ローレットを形成すると印刷ができなくなるため、スカート部における印刷エリアに制約を受けるという問題点があった。そこで、印刷エリアをより大きく確保するために、図３に示すように、ローレット１０をスカート部１３のなるべく上方部に形成したり、キャップの天板部１２とスカート部１３の連結部１４のＲを小さくする等の工夫を施すことも提案されている。
【０００４】
しかしながら、たとえ上方部であってもローレット１０を形成したキャップは印刷エリアの制約を免れないという問題点が残っていた。また、ローレット１０を形成したキャップや、キャップの天板部１２とスカート部１３を連結する連結部１４のＲを小さくしたキャップは、可愛らしさがなくデザイン性に劣るという問題点も指摘されていた。
このように、ローレットを形成して開栓容易とすることと、印刷エリアの制約をなくすこと、及びデザイン性を向上させることとは相反することであり、両者を満足させることができる新しいキャップの開発が望まれていた。
【先行技術文献】
【特許文献】
【０００５】
【特許文献１】特開２００９−２９４８３号公報
【特許文献２】特開２００９−５１５２６号公報
【発明の概要】
【発明が解決しようとする課題】
【０００６】
本発明は上記のような問題点を解決して、開栓を容易にすることができるうえに、スカート部における印刷エリアの制約をなくすことができ、また可愛らしくて優れたデザイン性を発揮できる容器用キャップを提供することを目的として完成されたものである。
【課題を解決するための手段】
【０００７】
上記課題を解決するためになされた本発明の容器用キャップは、キャップ本体が、円板状の天板部とネジ部が形成される円筒状のスカート部からなり、前記天板部とスカート部を連結する円弧面のＲを開栓時における指の腹部との接触面積が増大するように２．５〜２０ｍｍの範囲とし、また前記円弧面を指の腹部と密着可能な凹凸のない平滑面としたことを特徴とするものである。
【０００８】
キャップ本体の直径は３０〜６０ｍｍであり、またキャップ本体の高さの上部１／５以上が円弧面で構成され、この円弧面から下方側にストレートな円筒状のスカート部が続いていることが好ましく、これを請求項２に係る発明とする。
【０００９】
更に、スカート部の全体に印刷が施されていることが好ましく、これを請求項３に係る発明とする。
【発明の効果】
【００１０】
請求項１に係る発明では、天板部とスカート部を連結する円弧面のＲを開栓時における指の腹部との接触面積が増大するように２．５〜２０ｍｍの範囲としたので、スカート部に従来のようなローレットがなくても円弧面と指の腹部との接触面積が大きくなってキャップを簡単に開けることが可能となる。また、前記円弧面を指の腹部と密着可能な凹凸のない平滑面としたので、指の腹部が円弧面に密着しキャップの開動作をより容易なものとすることができる。更には、ローレットがなく円弧面のＲも大きいので、デザイン性に優れ可愛らしいキャップを提供することができる。
【００１１】
また、請求項２に係る発明では、キャップ本体の直径は３０〜６０ｍｍであり、またキャップ本体の高さの上部１／５以上が円弧面で構成され、この円弧面から下方側にストレートな円筒状のスカート部が続いているものとしたので、指の腹部と密着性に優れた形状であり、力の弱い子供や女性でも容易に開栓をすることが可能となる。
【００１２】
また、請求項３に係る発明では、スカート部の全体に印刷が施されており、従来のようなローレットがない分、印刷エリアの制約がなくなり印刷の自由度を大幅に向上させることが可能となる。
【図面の簡単な説明】
【００１３】
【図１】本発明の実施の形態を示す切欠正面図である。
【図２】容器に装着した状態を示す切欠正面図である。
【図３】従来例を示す切欠正面図である。
【図４】本発明における指の腹部の接触面積を示す説明図である。
【図５】従来例における指の腹部の接触面積を示す説明図である。
【発明を実施するための形態】
【００１４】
以下に、図面を参照しつつ本発明の好ましい実施の形態を示す。
図１は本発明のキャップを示す一部切欠正面図、図２は容器に装着した状態を示す一部切欠正面図である。図において、１はキャップ本体であり、図示のものではブリキ製である。その他、ポリプロピレン樹脂等の硬質樹脂製のキャップやアルミニウム等の金属製のキャップであってもよいことは勿論である。
【００１５】
前記キャップ本体１は、円板状の天板部２とこの天板部２の周縁から垂下する円筒状のスカート部３からなり、このスカート部３にはネジ部５が形成されている。また図２において、２１はガラス、合成樹脂、金属などからなる容器である。なお、容器２１の口天部２２と前記天板部２の裏面の間には弾性を有するパッキン（図示せず）が装入されており、ある程度の気密性を保持する構造である。
【００１６】
前記天板部２とスカート部３は円弧面４で連結されている。この円弧面４のＲは２．５〜２０ｍｍの範囲とされており、開栓時における指の腹部との接触面積を増大するよう構成されている。このように、円弧面と指の腹部との接触面積を大きくして開栓時の力をスムーズに伝達できるため、キャップを簡単に開けることが可能となる。
また、前記円弧面４を指の腹部と密着可能な凹凸のない平滑面（従来のような凹凸状のローレットがないという意味）としたので、指の腹部が円弧面に完全に密着しやすくなり、しかも力をスムーズに伝達できるため、キャップの開動作をより容易なものとすることができる。
【００１７】
前記のように本発明のキャップでは、力の伝達が容易な構造となっていてスカート部３に従来のようなローレット１０を設ける必要がなくなったので、印刷エリアの制約を受けることがなくスカート部全体を印刷面とすることができる。また、ローレット１０を不要とすることにより、金型製作費用も大きく削減することが可能となる。しかも、円弧面４のＲが大きいので外観上も丸みを帯びた可愛いキャップ形状とすることができ、デザイン性も大幅に向上する。
【００１８】
前記円弧面４のＲは、２．５〜２０ｍｍの範囲が好ましい。Ｒが２．５ｍｍ未満の場合は十分な指の腹部の接触面積を確保することは難しく、一方、２０ｍｍより大きいと天板部２の裏面に装入したパッキンの周縁が円弧になって気密性の確保が難しくなるからである。より好ましくはＲ：４〜１０ｍｍの範囲である。
【００１９】
また、キャップ本体１の直径は３０〜６０ｍｍの範囲が好ましい。直径が３０ｍｍ未満の場合は径が小さくて力を伝達しづらいためローレットが必要となり、一方、６０ｍｍより大きいとネジによる係合の場合、開栓に必要な力が非常に大きくなって非力な女性や子供などには開けづらく不適切となるからである。
またキャップ本体１は、その高さの上部１／５以上が円弧面４で構成され、この円弧面４から下方側にストレートな円筒状のスカート部３が続いた形状となっている。これにより、天板部２の周縁が丸みを帯びた形状となり、しかもローレットがないこととの相乗効果で、何の美的センスもなかった従来キャップのイメージを払拭してデザイン性に優れた可愛らしい雰囲気のキャップを提供できることとなる。
更に、ローレットをなくしたことでスカート部３の全体に印刷を施すことが可能になったため、よりキャップのデザイン性を向上させることが可能になった。
【００２０】
参考として、図４に本発明のキャップにおける指の腹部の接触面積を示す。
この場合の、キャップ開栓時における指腹部の接触部分をキャップの中心点を対称にしたπ／２の円弧の周縁部（下図のハッチング部）と想定すると、この接触部分の面積は下記の[数１]式で計算される。
【００２１】
【数１】
2011105371.tif 000003
【００２２】
図４のキャップは、直径が４０ｍｍで円弧面のＲは５ｍｍであり、[数１]式で接触部分の面積を計算すると、４４８．２ｍｍ２となる。
同様にして、図５に示す直径が４０ｍｍで円弧面のＲは１ｍｍの従来タイプのキャップにおける指の腹部の接触面積を計算すると、９６．８ｍｍ２となる
この結果、キャップ円弧面の半径を１ｍｍから５ｍｍに変更することで、指の腹部の接触面積が４．６３倍になったことが確認され、力をスムーズに伝達できてキャップの開動作をより容易なものとすることができることが確認できた。
【符号の説明】
【００２３】
１  キャップ本体
２  天板部
３  スカート部
４  連結部
５  ネジ部
１０  ローレット
２１  容器
２２  口天部
【図１】
2011105371.tif 000004
【図２】
2011105371.tif 000005
【図３】
2011105371.tif 000006
【図４】
2011105371.tif 000007
【図５】
2011105371.tif 000008